(57)【要約】【課題】排水トラップ内の汚れを抑制することができる浴室システムを提供することを目的とする。【解決手段】洗浄水を吐水することで浴室の床及び壁の少なくとも一部を洗浄する浴室洗浄機器と、洗浄水を吐水することで前記浴室内に設けられた浴槽を洗浄する浴槽洗浄機器と、前記浴室洗浄機器と前記浴槽洗浄機器とを制御する制御部と、を備え、前記制御部は、前記浴室洗浄機器の吐水動作と前記浴槽洗浄機器の吐水動作とを連動させる連動モードを有し、前記連動モードは、前記浴室洗浄機器及び前記浴槽洗浄機器の一方の最後の吐水動作において、前記浴室洗浄機器と前記浴槽洗浄機器との両方に吐水させることを特徴とする浴室システムが提供される。【選択図】図３
2019154724.tif 000002
【特許請求の範囲】
【請求項１】
洗浄水を吐水することで浴室の床及び壁の少なくとも一部を洗浄する浴室洗浄機器と、
洗浄水を吐水することで前記浴室内に設けられた浴槽を洗浄する浴槽洗浄機器と、
前記浴室洗浄機器と前記浴槽洗浄機器とを制御する制御部と、
を備え、
前記制御部は、前記浴室洗浄機器の吐水動作と前記浴槽洗浄機器の吐水動作とを連動させる連動モードを有し、
前記連動モードは、前記浴室洗浄機器及び前記浴槽洗浄機器の一方の最後の吐水動作において、前記浴室洗浄機器と前記浴槽洗浄機器との両方に吐水させることを特徴とする浴室システム。
【請求項２】
前記連動モードは、前記一方の前記最後の吐水動作に比べて、前記浴室洗浄機器及び前記浴槽洗浄機器の他方の吐水動作を遅く終了させ、
前記連動モードの最後において、前記他方は、除菌作用を有する機能水を吐水することを特徴とする請求項１記載の浴室システム。
【請求項３】
前記連動モードは、前記一方の前記最後の吐水動作が終了する前に、前記他方に前記機能水の吐水を開始させることを特徴とする請求項２記載の浴室システム。
【発明の詳細な説明】
【技術分野】
【０００１】
本発明の態様は、一般的に、浴室システムに関する。
【背景技術】
【０００２】
浴室には、浴室の床（洗い場の床等）や壁を洗浄する洗浄機器や、浴室内に設けられた浴槽を洗浄する洗浄機器などを有する浴室システムが設けられることがある。例えば、特許文献１には、浴室の洗い場床に洗浄水を吐水して、洗い場近傍の汚れを洗浄する浴室洗浄装置が開示されている。また、特許文献２には、浴槽内に設けられたノズルから洗剤液や湯又は水を噴射することにより浴槽洗浄を行う浴槽自動洗浄システムが開示されている。また、特許文献３には、浴槽と洗い場とに洗剤や水を散布して、浴槽と洗い場とを洗浄する洗浄装置が開示されている。
【先行技術文献】
【特許文献】
【０００３】
【特許文献１】特許第４０３５６６２号公報
【特許文献２】特開２００９−１６８２９４号公報
【特許文献３】特開２０１０−１１９５３０号公報
【発明の概要】
【発明が解決しようとする課題】
【０００４】
浴室は、洗い場床等に存在する水や浴槽内の水を、外部（下水等）へ排出する排水路を有する。一般に、この排水路には、排水トラップが設けられている。排水トラップは、浴槽の排水口と、洗い場の排水口と、外部に連通する排水管と、に接続されている。洗い場床に存在する水及び浴槽内の水は、排水口から排水トラップに流れ込み、排水トラップから排水管を介して外部へ排出される。排水トラップは、内部に封水を貯留することにより、排水管からの臭気や害虫などが浴室側に向かうことを抑制する。
【０００５】
また、入浴後の浴室の床、壁及び浴槽には、人体からの皮脂、垢、髪の毛などの汚れが存在する。そのため、洗浄機器から洗浄水を吐水することにより、床、壁、浴槽等の洗浄を行うと、洗浄水とともに排水トラップに多くの汚れが流れ込む。この場合、排水トラップに流れ込む洗浄水の流量が少ないと、排水トラップに汚れが留まってしまう恐れがある。
【０００６】
例えば、特許文献３に記載の洗浄装置においては、洗い場へ吐水される洗浄水の流量、および、浴槽へ吐水される洗浄水の流量は、それぞれ一定であると考えられる。また、洗い場への吐水と、浴槽への吐水とは、同時に行われていない。したがって、洗い場や浴槽のすすぎ中においては、排水トラップには常に一定流量の洗浄水が流入すると考えられる。このような場合には、皮脂、垢、髪の毛等の汚れは、排水トラップ内の封水に浮遊したままとなりやすく、洗浄後において封水に汚れが残ってしまう恐れがある。  
また、特許文献３のような構成において、洗い場や浴槽のすすぎ中に、洗い場又は浴槽へ吐水される洗浄水の流量を増やす方法も考えられる。しかしながら、この方法では、洗浄水の量が多くなり、節水の観点からは好ましくない。
【０００７】
本発明は、かかる課題の認識に基づいてなされたものであり、排水トラップ内の汚れを抑制することができる浴室システムを提供することを目的とする。
【課題を解決するための手段】
【０００８】
第１の発明は、洗浄水を吐水することで浴室の床及び壁の少なくとも一部を洗浄する浴室洗浄機器と、洗浄水を吐水することで前記浴室内に設けられた浴槽を洗浄する浴槽洗浄機器と、前記浴室洗浄機器と前記浴槽洗浄機器とを制御する制御部と、を備え、前記制御部は、前記浴室洗浄機器の吐水動作と前記浴槽洗浄機器の吐水動作とを連動させる連動モードを有し、前記連動モードは、前記浴室洗浄機器及び前記浴槽洗浄機器の一方の最後の吐水動作において、前記浴室洗浄機器と前記浴槽洗浄機器との両方に吐水させることを特徴とする浴室システムである。
【０００９】
この浴室システムによれば、連動モードにおいて、浴室洗浄機器及び浴槽洗浄機器の一方の最後の吐水動作の時間帯において、大流量の洗浄水が排水トラップに流れ込む。これにより、排水トラップ内の汚れ（例えば排水トラップ内の封水に浮いた皮脂、垢、髪の毛等の汚れ）を、下流側に流すことが出来る。すなわち、連動モードにおける洗浄によって排水トラップ内に流入した汚れが、排水トラップ内に留まってしまうことを抑制できる。したがって、浴室及び浴槽の洗浄を行った後も排水トラップ内の汚れを抑制し、排水トラップをきれいに保つことが出来る。  
また、浴室洗浄機器及び浴槽洗浄機器の一方の最後の吐水動作の時間帯において、排水トラップには、浴室の洗い場側と、浴槽側と、の２方向から同時に洗浄水が流れ込む。これにより、排水トラップ内の封水が撹拌され、封水に浮いた汚れを効果的に排出することができる。
【００１０】
第２の発明は、第１の発明において、前記連動モードは、前記一方の前記最後の吐水動作に比べて、前記浴室洗浄機器及び前記浴槽洗浄機器の他方の吐水動作を遅く終了させ、前記連動モードの最後において、前記他方は、除菌作用を有する機能水を吐水することを特徴とする浴室システムである。
【００１１】
この浴室システムによれば、連動モードの最後に機能水が吐水されることにより、浴室及び浴槽の洗浄終了時には、排水トラップ内に機能水が流入する。これにより、これにより、排水トラップ内を除菌することができ、浴室洗浄及び浴槽洗浄を行った後も排水トラップ内の汚れをより抑制することができる。
【００１２】
第３の発明は、第２の発明において、前記連動モードは、前記一方の前記最後の吐水動作が終了する前に、前記他方に前記機能水の吐水を開始させることを特徴とする浴室システムである。
【００１３】
この浴室システムによれば、浴室洗浄機器及び浴槽洗浄機器の一方の最後の吐水動作の時間帯において、排水トラップには、浴室洗浄機器及び浴槽洗浄機器の一方からの洗浄水と、浴室洗浄機器及び浴槽洗浄機器の他方からの機能水と、が流れ込む。これにより、排水トラップにおける流量を増大させて排水トラップ内の汚れを排出しつつ、機能水によって排水トラップ内を除菌することができる。したがって、排水トラップ内の汚れをより抑制し、排水トラップをきれいに保つことができる。  
また、例えば、機能水は、電解槽によって水道水等を電気分解することによって得られる。この場合、大量の機能水を生成すると、電解槽の電極が消耗し、電極の寿命が短くなってしまう。そのため、電極の寿命の観点からは、機能水の量は、できるだけ少ないことが望ましい。これに対し、この浴室システムによれば、排水トラップに、浴室洗浄機器及び浴槽洗浄機器の一方からの洗浄水と、浴室洗浄機器及び浴槽洗浄機器の他方からの機能水と、が流れ込むため、機能水を含んだ大流量の水でトラップ内を撹拌することができ、機能水が少量であっても、トラップ内の封水をきれいな水に置換する作用を向上させることができる。
【発明の効果】
【００１４】
本発明の態様によれば、排水トラップ内の汚れを抑制することができる浴室システムが提供される。
【図面の簡単な説明】
【００１５】
【図１】実施形態に係る浴室システムを有する浴室を例示する斜視図である。
【図２】実施形態に係る浴室システムを例示するブロック図である。
【図３】図３（ａ）〜図３（ｃ）は、実施形態に係る浴室システムの動作を例示するタイミングチャートである。
【図４】図４（ａ）〜図４（ｄ）は、浴室に設けられる排水トラップを例示する断面図である。
【図５】図５（ａ）〜図５（ｃ）は、実施形態に係る浴室システムの動作を例示するタイミングチャートである。
【図６】図６（ａ）〜図６（ｃ）は、実施形態に係る浴室システムの動作を例示するタイミングチャートである。
【図７】図７（ａ）〜図７（ｃ）は、実施形態に係る浴室システムの動作を例示するタイミングチャートである。
【図８】浴室に設けられる排水トラップを例示する断面図である。
【図９】実施形態に係る浴室システムの浴室洗浄機器を例示する模式図である。
【図１０】実施形態に係る浴室システムの浴槽洗浄機器を例示する模式図である。
【図１１】実施形態に係る浴室システムの操作部を例示する斜視図である。
【図１２】図１２（ａ）〜図１２（ｃ）は、実施形態に係る浴室システムの動作を例示するタイミングチャートである。
【発明を実施するための形態】
【００１６】
以下、本発明の実施の形態について図面を参照しつつ説明する。なお、各図面中、同様の構成要素には同一の符号を付して詳細な説明は適宜省略する。  
図１は、実施形態に係る浴室システムを有する浴室を例示する斜視図である。  
図１は、実施形態に係る浴室システム１００（図２を参照）が設置される浴室の一例を示している。  
図１に示すように、浴室５００は、概ね直方体の４つの側面に相当する配置の第１壁５４１、第２壁５４２、第３壁５４３、第４壁５４４を有する。第２壁５４２は、第１壁５４１と対向しており、第４壁５４４は、第３壁５４３と対向している。第１壁５４１と第２壁５４２とは、それぞれ、第３壁５４３及び第４壁５４４と接続されている。
【００１７】
説明の便宜上、本明細書において、第２壁５４２（図１の奥側の壁）から第１壁５４１（図１の手前側の壁）へ向かう方向を「前方」とし、これと反対の方向を「後方」とする。また、前後方向および上下方向に対して垂直な方向を横方向とする。
【００１８】
第４壁５４４の側に浴槽５１０が設けられており、当該浴槽５１０と第３壁５４３との間に洗い場床５２０（浴室洗い場床）が設けられている。すなわち、浴槽５１０と洗い場床５２０とは、共に前後方向に延びて、横方向に並んでいる。洗い場床５２０は、第３壁５４３に加えて、第１壁５４１の一部及び第２壁５４２の一部にも接している。
【００１９】
洗い場床５２０には、排水口５２１が設けられている。排水口５２１は、洗い場床５２０の前後方向における中央付近であって、洗い場床５２０の横方向における浴槽５１０側の端に設けられている。洗い場床５２０には、排水口５２１へ向かう緩やかな（例えば１〜５°程度の）排水勾配（傾斜）が設けられている。また、洗い場床５２０の表面は、親水コーティングされている。
【００２０】
そして、洗い場床５２０が接している第２壁５４２の一部に（浴室５００の後方側に）、カウンタ５３０が設けられている。浴室５００の第２壁５４２には、鏡、給水栓、シャワーホースなどが適宜設けられている。
【００２１】
図２は、実施形態に係る浴室システムを例示するブロック図である。  
図２に示すように、浴室システム１００は、浴室洗浄機器７０と、浴槽洗浄機器８０と、制御部３０と、を有する。
【００２２】
浴室洗浄機器７０及び浴槽洗浄機器８０は、浴室５００内に設けられる（図１を参照）。図２に示すように、浴室洗浄機器７０及び浴槽洗浄機器８０のそれぞれには、給水源５０（水道管など）から洗浄水が供給される。給水源５０の下流側の流路は、浴室洗浄機器７０（吐水口７１）に洗浄水を導く流路７５と、浴槽洗浄機器８０（吐水口８１）に洗浄水を供給する流路８５と、に分岐している。
【００２３】
浴室洗浄機器７０は、洗浄水を吐水する吐水口７１と、制御弁７３と、を有する。制御弁７３は、例えば、流路７５の流量を調整する流量調整弁である。流量調整弁は、流路の面積（流路の開度、又は流路の絞り）を調整することで、当該流路の流量を調整する。制御弁７３は、流路７５を開閉する電磁弁でもよい。制御弁７３によって、吐水口７１に供給される洗浄水の流量、すなわち吐水口７１から吐水される洗浄水の流量を制御することができる。浴室洗浄機器７０は、給水源５０から供給された洗浄水を、浴室５００の洗い場床５２０、及び壁（第１〜第４壁５４１〜５４４）の少なくとも一部に吐水する。これにより、浴室洗浄機器７０は、浴室５００の洗い場床５２０、及び壁の少なくとも一部を洗浄する。なお、図１に示した例では、浴室洗浄機器７０は、カウンタ５３０に設けられ、洗い場床５２０を洗浄する洗浄機器（床洗浄装置）である。
【００２４】
浴槽洗浄機器８０は、洗浄水を吐水する吐水口８１と、制御弁８３と、を有する。制御弁８３は、例えば、流路８５の流量を調整する流量調整弁である。制御弁８３は、流路８５を開閉する電磁弁でもよい。制御弁８３によって、吐水口８１に供給される洗浄水の流量、すなわち吐水口８１から吐水される洗浄水の流量を制御することができる。浴槽洗浄機器８０は、給水源５０から供給された洗浄水を、浴槽５１０内の少なくとも一部に吐水する。これにより、浴槽洗浄機器８０は、浴槽５１０を洗浄する。
【００２５】
制御部３０は、例えばマイコンなどを有する電気回路である。制御部３０は、浴室洗浄機器７０の制御弁７３、及び浴槽洗浄機器８０の制御弁８３のそれぞれと接続されている。制御部３０と浴室洗浄機器７０との接続、制御部３０と浴槽洗浄機器８０との接続は、有線接続であっても無線接続であってもよい。浴室洗浄機器（制御弁７３）及び浴槽洗浄機器８０（制御弁８３）のそれぞれは、制御部３０から送信された信号（指令）に基づいて動作する。図１に示した例では、制御部３０は、浴室５００の天井５４５に設置されている。ただし、制御部３０の配置は任意である。また、制御部３０は、複数の基板などに適宜分割されて配置されてもよい。例えば、制御部３０の一部が浴室洗浄機器７０に配置されたり、浴槽洗浄機器８０に配置されたりしてもよい。
【００２６】
また、浴室システム１００は、使用者が浴室洗浄機器７０及び浴槽洗浄機器８０の動作を操作するための操作部３５（リモコン）を有していてもよい（図１参照）。操作部３５は、浴室５００内、又は浴室５００外（例えば浴室５００に隣接する脱衣所など）に設けられる。操作部３５は、制御部３０と有線又は無線により接続されている。使用者は、操作部３５に設けられたボタン（スイッチ）を操作することにより、浴室洗浄機器７０及び浴槽洗浄機器８０の動作を開始／停止させたり、動作の設定を変更したりすることができる。具体的には、使用者が操作部３５を操作すると、その操作に応じた信号が制御部３０に送信される。制御部３０は、操作部３５からの信号に基づいて、浴室洗浄機器７０及び浴槽洗浄機器８０のそれぞれに信号（指令）を送信する。
【００２７】
制御部３０は、浴室洗浄機器７０の吐水動作と、浴槽洗浄機器８０の吐水動作と、を連動させる連動モードを有する。例えば、連動モードは、浴室洗浄機器７０による洗浄動作と、浴槽洗浄機器８０による洗浄動作とを連動させる掃除連動モードである。
【００２８】
図３（ａ）〜図３（ｃ）は、実施形態に係る浴室システムの動作を例示するタイミングチャートである。  
タイミングチャートにおいて、横軸は時間ｔを表す。図３（ａ）は、制御部３０の連動モードの作動（ＯＮ）及び停止（ＯＦＦ）のタイミングを表す。図３（ｂ）は、浴室洗浄機器７０の制御弁７３の開（ＯＮ）及び閉（ＯＦＦ）のタイミングを表す。制御弁７３がＯＮの状態では、流路７５が開き吐水口７１から洗浄水が吐水されている。制御弁７３がＯＦＦの状態では、流路７５が閉じ吐水口７１から洗浄水は吐水されない。図３（ｃ）は、浴槽洗浄機器８０の制御弁８３の開（ＯＮ）及び閉（ＯＦＦ）のタイミングを表す。制御弁８３がＯＮの状態では、流路８５が開き吐水口８１から洗浄水が吐水されている。制御弁８３がＯＦＦの状態では、流路８５が閉じ吐水口８１から洗浄水は吐水されない。
【００２９】
なお、この例では、図３（ｂ）が制御弁７３のＯＮ／ＯＦＦのタイミングを表し、図３（ｃ）が制御弁８３のＯＮ／ＯＦＦのタイミングを表すが、逆であってもよい。すなわち、制御弁７３が図３（ｃ）に示すタイミングで動作し、制御弁８３が図３（ｂ）に示すタイミングで動作してもよい。
【００３０】
図３（ａ）に示すように、時刻Ｔ１において、連動モードがＯＮとなる。これに伴い、図３（ｂ）に示すように、浴室洗浄機器７０の制御弁７３がＯＮとなり、浴室洗浄機器７０が吐水動作を行う。この例では、浴室洗浄機器７０は、一度の連動モードにおいて、複数回の吐水動作を行う。すなわち、時刻Ｔ１と時刻Ｔ２との間の吐水動作と、時刻Ｔ３と時刻Ｔ６との間の吐水動作と、が実行されている。時刻Ｔ１においてＯＮとなった制御弁７３は、時刻Ｔ１の後の時刻Ｔ２においてＯＦＦとなる。時刻Ｔ２の後に、時刻Ｔ３においてＯＮとなった制御弁７３は、時刻Ｔ３の後の時刻Ｔ６においてＯＦＦとなる。
【００３１】
図３（ｃ）に示すように、浴槽洗浄機器８０は、浴室洗浄機器７０の最後の吐水動作が行われる時間帯に、吐水動作を行う。この例では、浴槽洗浄機器８０は、時刻Ｔ４と時刻Ｔ５との間において吐水動作を行っている。すなわち、時刻Ｔ３の後の時刻Ｔ４においてＯＮとなった制御弁８３は、時刻Ｔ４の後の時刻Ｔ５においてＯＦＦとなる。そして、時刻Ｔ５の後の時刻Ｔ６において、浴槽洗浄機器８０の吐水動作が停止し、連動モードが終了する。
【００３２】
このように、実施形態においては、連動モードは、浴室洗浄機器７０及び浴槽洗浄機器８０の一方の最後の吐水動作において、浴室洗浄機器７０と浴槽洗浄機器８０との両方に吐水させる。言い換えれば、浴室洗浄機器７０及び浴槽洗浄機器８０の一方の最後の吐水動作の時間帯の少なくとも一部と、浴室洗浄機器７０及び浴槽洗浄機器８０の他方の吐水動作の時間帯の少なくとも一部とが重なる。図３の例では、浴室洗浄機器７０の最後の吐水動作の時間帯（時刻Ｔ３〜時刻Ｔ６）の一部と、浴槽洗浄機器８０の最後の吐水動作の時間帯（時刻Ｔ４〜時刻Ｔ５）の一部とが重なる。浴槽洗浄機器８０の吐水動作の最後の時刻Ｔ５において、浴室洗浄機器７０と浴槽洗浄機器８０との両方が吐水している。  
なお、最後の吐水動作とは、連動モードにおいて、連動モードの終了時刻に最も近い吐水動作のことである。 
【００３３】
これにより、連動モードにおける合計流量（浴室洗浄機器７０が吐水する流量（ｃｃ／ｓ）と、浴槽洗浄機器８０が吐水する流量（ｃｃ／ｓ）と、の合計）が最大となる時間帯は、一方の洗浄機器の最後の吐水動作の時間帯に含まれる。つまり、浴室洗浄機器７０及び浴槽洗浄機器８０の一方の最後の吐水動作の時間帯において、排水トラップに流れ込む水の流量（瞬間流量）が最大となる。
【００３４】
なお、浴室洗浄機器７０及び浴槽洗浄機器８０のそれぞれにおいて、１度の連動モードにおける吐水動作の回数は、１回であってもよいし、２回以上でもよい。
【００３５】
図４（ａ）〜図４（ｄ）は、浴室に設けられる排水トラップを例示する断面図である。  一般に浴室は、洗い場床や浴槽の水を排水する排水路を有し、その排水路には排水トラップが設けられる。例えば、図１に示すように、洗い場床５２０及び浴槽５１０の下方（下流側）に排水トラップ４００が設けられる。
【００３６】
排水トラップ４００は、トラップ本体４１０と、封水筒４２０と、を有する。トラップ本体４１０は、例えば、筒状の部材である。トラップ本体４１０は、開口４１１と、流出口４１３と、を有する。開口４１１は、トラップ本体４１０の上部に設けられ上方を向いて開いている。流出口４１３は、開口４１１より下方であって、トラップ本体４１０の側部に設けられ側方を向いて開いている。流出口４１３は、外部の下水等へと続く排水管４４０と接続されている。
【００３７】
封水筒４２０は、トラップ本体４１０の開口４１１に挿入されるように取り付けられている。封水筒４２０は、筒状部４２１と、筒状部４２１の上方に設けられたフランジ４２２と、を有する。筒状部４２１は、その上部に形成され上方を向く入水口４２３と、その下部に形成され下方を向く出水口４２４と、を有する。
【００３８】
洗い場床５２０から排水された水（洗浄水）、及び、浴槽５１０から排水された水（洗浄水）は、それぞれ、封水筒４２０の入水口４２３に流入する。入水口４２３に流入した水は、封水筒４２０の内部を通って出水口４２４からトラップ本体４１０の内部に流入する。トラップ本体４１０の内部に流入した水は、トラップ本体４１０の流出口４１３から排水管４４０を通って外部へ排出される。
【００３９】
封水筒４２０の入水口４２３は、トラップ本体４１０の流出口４１３よりも上方に位置し、封水筒４２０の出水口４２４は、トラップ本体４１０の流出口４１３よりも下方に位置する。これにより、トラップ本体４１０は、内部に一時的に水（封水４３０）を貯留することができる。トラップ本体４１０の内部に水が流入すると、トラップ本体４１０内の水位が上昇し、流出口４１３の下端を超えた水が、流出口４１３から排水されるようになっている。
【００４０】
図４（ａ）及び図４（ｂ）は、参考例の浴室システムにおける排水を例示している。この参考例は、上述の連動モードを有さない。すなわち、この参考例では、浴室洗浄機器及び浴槽洗浄機器は、互いに異なる時間帯に別々に洗浄動作（吐水動作）を行う。そのため、浴室洗浄機器及び浴槽洗浄機器のいずれかの洗浄動作において、排水トラップ４００には、図４（ａ）の矢印Ａ１のように、一方の洗浄機器から吐水された水のみが、例えば一定の流量で流入する。
【００４１】
浴室洗浄機器及び浴槽洗浄機器の洗浄動作（吐水動作）時において、排水トラップ４００内に流入する水には、汚れＤ（皮脂、垢、髪の毛等）が含まれている。参考例のように比較的少量の水が略一定の流量で排水トラップ４００に流入する場合には、浴室洗浄機器又は浴槽洗浄機器の洗浄後、排水トラップ４００の封水に多くの汚れＤが留まりやすい（図４（ｂ））。比較的少量の水が略一定の流量で排水トラップ４００に流入する場合には、汚れＤは、封水に浮いた状態となり、流出口４１３から排出されにくい。
【００４２】
一方、図４（ｃ）及び図４（ｄ）は、実施形態に係る浴室システムにおける排水を例示している。実施形態においては、上述の通り、制御部３０は、連動モードを有している。そのため、浴室洗浄機器７０及び浴槽洗浄機器８０の一方の最後の吐水動作において、排水トラップ４００には、図４（ｃ）の矢印Ａ２、Ａ３のように、浴室洗浄機器７０及び浴槽洗浄機器８０の両方から洗浄水が流入する。そのため、排水トラップ４００に流入する洗浄水の流量が一時的に増大し、排水トラップ４００内の水（封水及び洗浄水）が撹拌される。これにより、排水トラップ４００内に流入した汚れＤを水と共に外部へ排出することができる。また、洗浄動作の最後においては、排水トラップ４００に流入する洗浄水に含まれる汚れＤは比較的少ない。そのため、洗浄動作の最後において流量を増大させることで、比較的きれいな水で封水を置換することができる（図４（ｄ））。
【００４３】
以上説明したように、制御部３０は、連動モードによって、浴室洗浄機器７０及び浴槽洗浄機器８０の一方の最後の吐水動作の時間帯に、浴室洗浄機器７０及び浴槽洗浄機器８０の両方に吐水させる。これにより、大流量の洗浄水が排水トラップ４００に流れ込み、排水トラップ４００内の汚れ（例えば排水トラップ内の封水に浮いた皮脂、垢、髪の毛等の汚れ）を、下流側に流すことが出来る。これにより、連動モードにおける洗浄によって排水トラップ４００内に流入した汚れが、排水トラップ４００内に留まってしまうことを抑制できる。従って、浴室５００及び浴槽５１０の洗浄を行った後も排水トラップ４００内の汚れを抑制し、排水トラップ４００をきれいに保つことが出来る。
【００４４】
また、浴室洗浄機器７０及び浴槽洗浄機器８０の一方の最後の吐水動作の時間帯において、排水トラップ４００には、浴室５００の洗い場床５２０側と、浴槽５１０側と、の２方向から同時に洗浄水が流れ込む。これにより、排水トラップ４００内の封水が撹拌され、封水に浮いた汚れを効果的に排出することができる。
【００４５】
図５（ａ）〜図５（ｃ）は、実施形態に係る浴室システムの動作を例示するタイミングチャートである。  
図５（ａ）は、制御部３０の連動モードのＯＮ／ＯＦＦのタイミングを表す。図５（ｂ）は、浴室洗浄機器７０の制御弁７３のＯＮ／ＯＦＦのタイミングを表す。図５（ｃ）は、浴槽洗浄機器８０の制御弁８３のＯＮ／ＯＦＦのタイミングを表す。  
なお、制御弁７３が図５（ｃ）に示すタイミングで動作し、制御弁８３が図５（ｂ）に示すタイミングで動作してもよい。
【００４６】
図５（ａ）に示すように、時刻Ｔ７において、連動モードがＯＮとなる。これに伴い、図５（ｂ）に示すように、浴室洗浄機器７０の制御弁７３がＯＮとなり、浴室洗浄機器７０が吐水動作を行う。時刻Ｔ７においてＯＮとなった制御弁７３は、時刻Ｔ７の後の時刻Ｔ８においてＯＦＦとなる。時刻Ｔ８の後に、時刻Ｔ９においてＯＮとなった制御弁７３は、時刻Ｔ９の後の時刻Ｔ１１においてＯＦＦとなる。
【００４７】
図５（ｃ）に示すように、浴槽洗浄機器８０は、浴室洗浄機器７０の最後の吐水動作が行われる時間帯に、吐水動作を行う。すなわち、浴槽洗浄機器８０の制御弁８３は、時刻Ｔ９と時刻Ｔ１１との間の時刻Ｔ１０において、ＯＮとなる。そして、時刻Ｔ１１の後の時刻Ｔ１２において、浴槽洗浄機器８０の制御弁８３がＯＦＦとなり、連動モードが終了する。
【００４８】
このように、この例では、連動モードは、浴室洗浄機器７０及び浴槽洗浄機器８０の一方の最後の吐水動作に比べて、浴室洗浄機器７０及び浴槽洗浄機器８０の他方の吐水動作を遅く終了させる。すなわち、浴槽洗浄機器８０の吐水動作が終了する時刻Ｔ１２は、浴室洗浄機器７０の最後の吐水動作の終了が終了する時刻Ｔ１１よりも遅い。
【００４９】
また、この例においても、浴室洗浄機器７０の最後の吐水動作の時間帯（時刻Ｔ９〜時刻Ｔ１１）の一部と、浴槽洗浄機器８０の吐水動作の時間帯（時刻Ｔ１０〜時刻Ｔ１２）の一部とが重なる。これにより、排水トラップ４００に流入する洗浄水の流量を一時的に増大させることで、排水トラップ４００内の汚れを下流側に流すことができる。したがって、浴室５００及び浴槽５１０の洗浄を行った後も排水トラップ４００内の汚れを抑制し、排水トラップ４００をきれいに保つことが出来る。なお、浴室洗浄機器７０の吐水動作の終了と、浴槽洗浄機器８０の吐水動作の終了とは、同時であってもよい。
【００５０】
図６（ａ）〜図６（ｃ）は、実施形態に係る浴室システムの動作を例示するタイミングチャートである。  
図６（ａ）〜図６（ｃ）は、それぞれ、図５（ａ）〜図５（ｃ）と同様に、制御部３０の連動モード、浴室洗浄機器７０の制御弁７３、浴槽洗浄機器８０の制御弁８３のＯＮ／ＯＦＦのタイミングを表す。これらのＯＮ／ＯＦＦのタイミングは、図５（ａ）〜図５（ｃ）に関する説明と同様である。
【００５１】
この例では、連動モードの最後において、浴室洗浄機器７０及び浴槽洗浄機器８０の他方は、機能水を吐水する。すなわち、例えば図６（ｃ）に示すように、浴槽洗浄機器８０は、連動モードが終了する時刻Ｔ１２において機能水を吐水している。より具体的には、浴槽洗浄機器８０は、時刻Ｔ１３から時刻Ｔ１２までの間において、機能水を吐水している。なお、時刻Ｔ１３は、時刻Ｔ１１と時刻Ｔ１２との間である。また、機能水とは、例えば除菌作用を有する洗浄水である。機能水の生成や具体例については後述する。
【００５２】
連動モードの最後に機能水が吐水されることにより、浴室５００及び浴槽５１０の洗浄終了時には、排水トラップ４００内に機能水が流入する。これにより、排水トラップ４００内を除菌することができ、浴室洗浄及び浴槽洗浄を行った後も排水トラップ４００内の汚れをより抑制することができる。
【００５３】
図７（ａ）〜図７（ｃ）は、実施形態に係る浴室システムの動作を例示するタイミングチャートである。  
図７（ａ）〜図７（ｃ）は、それぞれ、図５（ａ）〜図５（ｃ）と同様に、制御部３０の連動モード、浴室洗浄機器７０の制御弁７３、浴槽洗浄機器８０の制御弁８３のＯＮ／ＯＦＦのタイミングを表す。これらのＯＮ／ＯＦＦのタイミングは、図５（ａ）〜図５（ｃ）に関する説明と同様である。
【００５４】
この例では、連動モードは、浴室洗浄機器７０及び浴槽洗浄機器８０の一方の最後の吐水動作が終了する前に、浴室洗浄機器７０及び浴槽洗浄機器８０の他方に機能水の吐水を開始させる。すなわち、例えば、図７（ｂ）及び図７（ｃ）に示すように、浴室洗浄機器７０の最後の吐水動作が終了する時刻Ｔ１１よりも前の時刻Ｔ１４において、浴槽洗浄機器８０は、機能水の吐水を開始している。より具体的には、浴槽洗浄機器８０は、時刻Ｔ１４から時刻Ｔ１２までの間において、機能水を吐水している。なお、時刻Ｔ１４は、時刻Ｔ１０と時刻Ｔ１１との間である。
【００５５】
このような構成によれば、浴室洗浄機器７０及び浴槽洗浄機器８０の一方の最後の吐水動作の時間帯において、排水トラップ４００には、浴室洗浄機器７０及び浴槽洗浄機器８０の一方からの洗浄水と、浴室洗浄機器７０及び浴槽洗浄機器８０の他方からの機能水と、が流れ込む。これにより、排水トラップ４００における流量を増大させて排水トラップ４００内の汚れを排出しつつ、機能水によって排水トラップ４００内を除菌することができる。したがって、排水トラップ４００内の汚れをより抑制し、排水トラップ４００をきれいに保つことができる。  
また、例えば、機能水は、電解槽によって水道水等を電気分解することによって得られる。この場合、大量の機能水を生成すると、電解槽の電極が消耗し、電極の寿命が短くなってしまう。そのため、電極の寿命の観点からは、機能水の量は、できるだけ少ないことが望ましい。これに対し、この浴室システム１００によれば、排水トラップ４００に、浴室洗浄機器７０及び浴槽洗浄機器８０の一方からの洗浄水と、浴室洗浄機器７０及び浴槽洗浄機器８０の他方からの機能水と、が流れ込むため、機能水を含んだ大流量の水で排水トラップ４００内を撹拌することができ、機能水が少量であっても、トラップ内の封水をきれいな水に置換する作用を向上させることができる。
【００５６】
図８は、浴室に設けられる排水トラップを例示する断面図である。  
図８は、排水トラップ４００の別の例を表している。  
この例では、排水トラップ４００のトラップ本体４１０は、流入口４１５をさらに有する。流入口４１５は、トラップ本体４１０の側部に設けられ側方を向いている。流入口４１５は、流出口４１３よりも下方に設けられている。
【００５７】
流入口４１５は、配管４４５などを介して、浴槽５１０の底に設けられた排水口５１２と接続されている。浴槽５１０内の水は、排水口５１２、配管４４５などを通って流入口４１５から、トラップ本体４１０内に流入する。
【００５８】
排水トラップ４００の入水口４２３は、洗い場床５２０の排水口５２１の下方に位置し、排水口５２１と接続されている。洗い場床５２０上の水は、排水口５２１及び入水口４２３を通って、トラップ本体４１０内に流入する。
【００５９】
トラップ本体４１０内に水が流入すると、トラップ本体４１０内の水位が上昇する。そして、トラップ本体４１０の流出口４１３の下端を超えた水が、流出口４１３及び排水管４４０を通って、外部に排出される。
【００６０】
このように、浴槽５１０内の水及び洗い場床５２０上の水の少なくとも一方が、排水トラップの側方（この例では流入口４１５）から、排水トラップ４００内に流入してもよい。
【００６１】
図９を参照して、浴室洗浄機器７０の一例について説明する。  
図９は、実施形態に係る浴室システムの浴室洗浄機器を例示する模式図である。  
図９は、浴室５００のカウンタ５３０の近傍を側方から見た様子を示している。  
浴室洗浄機器７０は、カウンタ５３０の下部に突出するノズル部１０ａを有する。ノズル部１０ａは、カウンタ５３０の下部に、洗い場床５２０から離間した位置に配置されている。例えば、ノズル部１０ａは、洗い場床５２０の横方向における中央付近に設置されている。
【００６２】
浴室５００の外部（例えば第２壁５４２の後方）には、給水管５１が設けられている。給水管５１は、図示しない水道管と接続されている。これにより、給水管５１から水道水が浴室洗浄機器７０に供給される。
【００６３】
カウンタ５３０の内部（天板５３１と下カバー５３２との間）には、第１ストレーナ５３ａと、制御弁７３（第１電磁弁５４ａ、第２電磁弁５４ｂ）と、調圧弁５５と、バキュームブレーカ５７と、逆止弁５６と、機能水生成部２０と、第２ストレーナ５３ｂと、電動モータ１７と、が設けられている。第１ストレーナ５３ａは、給水管５１と接続されており、第１ストレーナ５３ａの下流において、水道水の流路は２つに分岐している。
【００６４】
第１ストレーナ５３ａの下流側の一方の流路は、第１電磁弁５４ａを介して、水道水（洗浄水の一例である）を直接的にノズル部１０ａに供給する。第１電磁弁５４ａを開くことで、水道水がノズル部１０ａに供給される。
【００６５】
第１ストレーナ５３ａの下流側の他方の流路には、上流側から順に、第２電磁弁５４ｂ、調圧弁５５、バキュームブレーカ５７、逆止弁５６、機能水生成部２０、第２ストレーナ５３ｂが接続されており、機能水（洗浄水の一例である）をノズル部１０ａに供給する。
【００６６】
第１電磁弁５４ａ及び第２電磁弁５４ｂは、それぞれ、水道水の流路を開く動作、及び、水道水の流路を閉じる動作、を行う。調圧弁５５は、供給される水道水の圧力を制御する。これにより、後述する機能水生成部２０に供給される水道水の流量を所望に調整することができる。機能水生成部２０に供給される水道水の流量を調整することで、ノズル部１０ａに供給される機能水の流量が調整される。第２電磁弁５４ｂを用いて水道水の流量を調整してもよい。
【００６７】
機能水は、例えば除菌（又は殺菌）の機能を有する除菌水である。機能水は、例えば、次亜塩素酸を含む。この例では、機能水生成部２０は、陽極と陰極とを有する電解室（電解槽）である。機能水生成部２０は、陽極と陰極との間に電圧を印加して、それら電極の間を流れる水道水を電気分解することで、低濃度の次亜塩素酸を生成する。水道水は、塩化物イオンを含んでいるため、その塩化物イオンを電気分解することによって、次亜塩素酸が生成される。
【００６８】
なお、機能水は、次亜塩素酸を含むものには限定されない。例えば、機能水は、銀イオン、銅イオン、または亜鉛イオンなどの金属イオンを含む溶液、電解塩素やオゾンなどを含む溶液、酸性水、または、アルカリ水などでもよい。機能水生成部２０は電解槽に限らず、除菌水を生成可能な任意の構成でよい。
【００６９】
ストレーナ５３ａ、５３ｂ、電磁弁５４ａ、５４ｂ、調圧弁５５、バキュームブレーカ５７、逆止弁５６、機能水生成部２０及び電動モータ１７の少なくとも一部が、カウンタ５３０の外部や浴室５００の外部に設けられることも可能である。
【００７０】
第１電磁弁５４ａ、第２電磁弁５４ｂ、調圧弁５５、及び機能水生成部２０は、制御部３０によって適宜に制御される。これにより、ノズル部１０ａからの水道水の散水と、ノズル部１０ａからの機能水の散水と、を互いに独立に制御できる。
【００７１】
具体的には、第１電磁弁５４ａ及び第２電磁弁５４ｂは、制御部３０からの信号に基づいて、水道水の流路の開閉を行う。これにより、下流側に供給される水道水の流量が制御される。また、機能水生成部２０は、制御部３０からの信号に基づいて、電解室のＯＮ／ＯＦＦ等を切り替える。このようにして制御部３０は、機能水における各種構成成分の濃度、吐水される洗浄水の流量（単位時間当たりの流量）、吐水される洗浄水の総水量、を制御することができる。
【００７２】
また、ノズル部１０ａには、吐水口７１（開口）が設けられている。ノズル部１０ａは、上流から供給された洗浄水（水道水や機能水）を、水圧によって吐水口７１から浴室５００の洗い場床５２０上へ吐水する。これにより、洗い場床５２０上の汚れ（例えば、人体からの皮脂、垢、髪の毛など）を排水口５２１へ洗い流したり、洗い場床５２０上を除菌することができる。ノズル部１０ａから吐水される洗浄水は、例えば霧状である。
【００７３】
ノズル部１０ａの位置姿勢は、洗浄水が吐水される洗い場床５２０上の領域を変えるよう、変動することができる。具体的には、ノズル部１０ａは、電動モータ１７によって回転駆動される。電動モータ１７は、例えばステッピングモータからなる。
【００７４】
電動モータ１７は、制御部３０によって制御される。制御部３０からの信号に基づいて電動モータ１７が制御されることにより、ノズル部１０ａの回転角度や回転速度が変化する。
【００７５】
図１０を参照して、浴槽洗浄機器８０の一例について説明する。  
図１０は、実施形態に係る浴室システムの浴槽洗浄機器を例示する模式図である。  
浴槽洗浄機器８０は、流量検知装置６０４、水量制御装置６０５、制御弁８３（電磁弁６０６）、洗浄ノズル６０１、給水路６０８、排水栓駆動用モータ６２４など、を有する。
【００７６】
洗浄ノズル６０１は、給水路６０８を介して、給水管５１と接続されている。これにより、給水管５１から、給水路６０８を通った水道水が洗浄ノズル６０１に供給される。
【００７７】
給水路６０８には、上流側から順に、流量検知装置６０４、水量制御装置６０５、電磁弁６０６が設けられている。電磁弁６０６は、給水路６０８を開く動作、及び、給水路６０８を閉じる動作を行う。電磁弁６０６が開くことで、水道水が洗浄ノズル６０１に供給され、電磁弁６０６が閉じることで、洗浄ノズル６０１への給水が停止する。
【００７８】
洗浄ノズル６０１は、浴槽５１０に設けられている。洗浄ノズル６０１の吐水口８１は、例えば、浴槽５１０の内壁に露出している。洗浄ノズル６０１は、上流から供給された洗浄水（水道水）を、水圧によって吐水口８１から浴槽５１０内へ吐水する。これにより、浴槽５１０内の汚れを、浴槽５１０の排水口５１２へ洗い流すことができる。洗浄ノズル６０１から吐水される洗浄水は、例えば霧状である。
【００７９】
排水栓駆動用モータ６２４は、ワイヤーケーブル６２１を介して、スラストロック機構部６２３を作動させることができる。スラストロック機構部６２３が作動することで、排水栓６２２を上下に動かすことができ、排水口５１２を開閉することができる。なお、使用者は、浴槽５１０のリムなどに設けられた手動スイッチ６２０を操作することによっても、スラストロック機構部６２３を作動させ、排水口５１２を開閉することができる。
【００８０】
流量検知装置６０４、水量制御装置６０５、電磁弁６０６、排水栓駆動用モータ６２４は、制御部３０と有線又は無線により接続されており、制御部３０によって適宜に制御される。すなわち、電磁弁６０６は、制御部３０からの信号に基づいて、給水路６０８の開閉を行う。これにより、洗浄ノズル６０１の吐水と止水とが切り替えられる。また、排水栓駆動用モータ６２４は、制御部３０からの信号に基づいて、排水口５１２の開閉を行う。
【００８１】
浴槽洗浄機器８０による浴槽５１０の洗浄動作において、制御部３０は、まず、排水栓駆動用モータ６２４によって排水口５１２を開く。これにより、浴槽５１０内に残っている水（湯）が排水される。排水口５１２が開いてから所定時間が経過し、排水が行われた後に、制御部３０は、電磁弁６０６を開く。これにより、洗浄ノズル６０１から浴槽５１０内に洗浄水が吐水され、浴槽５１０内を洗浄することができる。
【００８２】
なお、浴槽洗浄機器８０は、水道水だけでなく、浴室洗浄機器７０と同様の構成により機能水を吐水してもよい。また、浴槽洗浄機器８０は、内部に洗剤タンクやポンプを有し、洗浄ノズル６０１から浴槽５１０内に洗剤を散布してもよい。
【００８３】
図１１は、実施形態に係る浴室システムの操作部を例示する斜視図である。  
操作部３５は、掃除連動スイッチ３５ａ、浴槽洗浄スイッチ３５ｂ、及び床洗浄スイッチ３５ｃなどの複数のスイッチ（ボタン）を有する。
【００８４】
使用者が、浴槽洗浄スイッチ３５ｂを操作すると、制御部３０は、その操作に応じた信号を受信し、浴槽洗浄機器８０に洗浄動作（吐水動作）を実行させる。また、使用者が、床洗浄スイッチ３５ｃを操作すると、制御部３０は、その操作に応じた信号を受信し、浴室洗浄機器７０に洗浄動作（吐水動作）を実行させる。
【００８５】
浴槽洗浄スイッチ３５ｂによる浴槽洗浄機器８０の洗浄動作と、床洗浄スイッチ３５ｃによる浴室洗浄機器７０の洗浄動作とは、例えば独立しており、別々に実行される。
【００８６】
使用者が、掃除連動スイッチ３５ａを操作すると、制御部３０は、その操作に応じた信号を受信し、浴室洗浄機器７０の洗浄動作と、浴槽洗浄機器８０の洗浄動作と、を連動させる掃除連動モードを実行する。
【００８７】
図１２を参照して、掃除連動モードの一例について説明する。  
図１２（ａ）〜図１２（ｃ）は、実施形態に係る浴室システムの動作を例示するタイミングチャートである。  
図１２（ａ）は、使用者が操作部３５の掃除連動スイッチ３５ａを操作したタイミングを表す。図１２（ｂ）は、浴室洗浄機器７０による洗浄動作を表す。図１２（ｂ）において、ＯＮは浴室洗浄機器７０が吐水していることを示し、ＯＦＦは浴室洗浄機器７０が吐水をしていないことを示す。図１２（ｃ）は、浴槽洗浄機器８０による洗浄動作を表す。図１２（ｃ）において、ＯＮは浴槽洗浄機器８０が吐水していることを示し、ＯＦＦは浴槽洗浄機器８０が吐水していないことを示す。
【００８８】
図１２（ａ）に示すように、時刻Ｔ２１において、使用者が操作部３５の掃除連動スイッチを操作する。すると、制御部３０は、掃除連動モードを開始する。具体的には、制御部３０は、図１２（ｂ）に示すように、時刻Ｔ２１において、浴室洗浄機器７０に第１洗浄（第１の吐水動作）を実行させる。同時に、制御部３０は、図１２（ｃ）に示すように、排水栓駆動用モータ６２４を作動させ、浴槽５１０に残っている水を排水する。
【００８９】
時刻Ｔ２１の後の時刻Ｔ２２において、浴室洗浄機器７０の第１洗浄が終了する。また、時刻Ｔ２２においては、浴槽５１０の排水は終了しているため、制御部３０は、浴槽洗浄機器８０に浴槽５１０の洗浄（吐水動作）を開始させる。
【００９０】
時刻Ｔ２２から時刻Ｔ２３までの間、浴室洗浄機器７０は、吐水動作を行わずに待機している。この間に、第１洗浄によって洗い場床５２０上に吐水された洗浄水が排水される。時刻Ｔ２３において、浴室洗浄機器７０は、第２洗浄（第２の吐水動作）を開始する。例えば、第２洗浄においては、浴室洗浄機器７０は、機能水を吐水する。待機時間を設けることにより、第１洗浄において吐水された水道水によって機能水が薄められることを抑制し、機能水の濃度の低下を抑制できる。
【００９１】
時刻Ｔ２３の後の時刻Ｔ２４において、浴槽洗浄機器８０による浴槽洗浄が終了する。そして、時刻Ｔ２４の時刻Ｔ２５において、浴室洗浄機器７０の第２洗浄が終了し、掃除連動モードが終了する。
【００９２】
このように、浴室洗浄機器７０による洗浄動作（第１洗浄、待機、及び第２洗浄）と、浴槽洗浄機器８０（浴槽排水及び浴槽洗浄）による洗浄動作とを同時に実行することで、全体の洗浄時間を短縮することができる。また、使用者は、浴槽洗浄スイッチ３５ｂ及び床洗浄スイッチ３５ｃを別々に操作しなくても、掃除連動スイッチ３５ａを操作することで浴室全体の洗浄を行うことができるため、使い勝手がよい。
【００９３】
また、この例においても、浴室洗浄機器７０の最後の吐水動作において、浴室洗浄機器７０と浴槽洗浄機器８０との両方が吐水を行う。浴室洗浄機器７０の最後の吐水動作の時間帯（時刻Ｔ２３〜時刻Ｔ２５）の一部と、浴槽洗浄機器８０の最後の吐水動作の時間帯（時刻Ｔ２２〜時刻Ｔ２４）の一部とが重なる。これにより、排水トラップ４００に流入する洗浄水の流量を一時的に増大させることで、排水トラップ４００内の汚れを下流側に流すことができる。したがって、浴室５００及び浴槽５１０の洗浄を行った後も排水トラップ４００内の汚れを抑制し、排水トラップ４００をきれいに保つことが出来る。
【００９４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室システムが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００９５】
１０ａ ノズル部、  １７ 電動モータ、  ２０ 機能水生成部、  ３０ 制御部、  ３５ 操作部、  ３５ａ 掃除連動スイッチ、  ３５ｂ 浴槽洗浄スイッチ、  ３５ｃ 床洗浄スイッチ、  ５０ 給水源、  ５１ 給水管、  ５３ａ 第１ストレーナ、  ５３ｂ 第２ストレーナ、  ５４ａ 第１電磁弁、  ５４ｂ 第２電磁弁、  ５５ 調圧弁、  ５６ 逆止弁、  ５７ バキュームブレーカ、  ７０ 浴室洗浄機器、  ７１ 吐水口、  ７３ 制御弁、  ７５ 流路、  ８０ 浴槽洗浄機器、  ８１ 吐水口、  ８３ 制御弁、  ８５ 流路、  １００ 浴室システム、  ４００ 排水トラップ、  ４１０ トラップ本体、  ４１１ 開口、  ４１３ 流出口、  ４１５ 流入口、  ４２０ 封水筒、  ４２１ 筒状部、  ４２２ フランジ、  ４２３ 入水口、  ４２４ 出水口、  ４４０ 排水管、  ４４５ 配管、  ５００ 浴室、  ５１０ 浴槽、  ５１２ 排水口、  ５２０ 洗い場床、  ５２１ 排水口、  ５３０ カウンタ、  ５４１ 第１壁、  ５４２ 第２壁、  ５４３ 第３壁、  ５４４ 第４壁、  ５４５ 天井、  ６０１ 洗浄ノズル、  ６０４ 流量検知装置、  ６０５ 水量制御装置、  ６０６ 電磁弁、  ６０８ 給水路、  ６２０ 手動スイッチ、  ６２１ ワイヤーケーブル、  ６２２ 排水栓、  ６２３ スラストロック機構部、  ６２４ 排水栓駆動用モータ
【図１】
2019154724.tif 000003
【図２】
2019154724.tif 000004
【図３】
2019154724.tif 000005
【図４】
2019154724.tif 000006
【図５】
2019154724.tif 000007
【図６】
2019154724.tif 000008
【図７】
2019154724.tif 000009
【図８】
2019154724.tif 000010
【図９】
2019154724.tif 000011
【図１０】
2019154724.tif 000012
【図１１】
2019154724.tif 000013
【図１２】
2019154724.tif 000014